(57)【要約】      （修正有）【課題】安定的に配置されて使用可能となり、空間の占用率が明確に低下する効果を得られる、複数の天板を有する組み合わせテーブルを提供する。【解決手段】組み合わせテーブルは、脚部機構２０に複数の天板が結合される。脚部機構２０は、底板２２と、底板２２に装設され、第一支持部材３２及び第二支持部材３４を含み、第一支持部材３２及び第二支持部材３４が交差するように連結されると共に隣接する第一支持部材３２と第二支持部材３４との間の挟角に象限領域が形成されるキャスターユニット組立部材と、底板２２に装設されると共に象限領域を各々通過させる複数の直立ロッド組立部材４０と、を備える。各天板は各直立ロッド組立部材４０の端部にそれぞれ装設される。【選択図】図２
0003219694.tif 000002
【実用新案登録請求の範囲】
【請求項１】
脚部機構を備える組み合わせテーブルであって、前記脚部機構は、
底板と、
前記底板に装設され、第一支持部材及び第二支持部材を含み、前記第一支持部材及び前記第二支持部材が交差するように連結されると共に隣接する前記第一支持部材と前記第二支持部材との間の挟角に象限領域が形成されるキャスターユニット組立部材と、
前記底板に装設されると共に前記象限領域を各々通過させる複数の直立ロッド組立部材と、
各前記直立ロッド組立部材の端部にそれぞれ装設される複数の天板と、を含むことを特徴とする組み合わせテーブル。
【請求項２】
各前記直立ロッド組立部材により囲まれる範囲内に配置される接合板を更に備え、且つ前記接合板は各前記直立ロッド組立部材に接合されることを特徴とする請求項１に記載の組み合わせテーブル。
【請求項３】
前記直立ロッド組立部材は外管の内部に内管が構設され、且つ空気圧ロッド組立部材が前記内管の内部に装設され、前記内管の一端は前記天板に連結され、前記空気圧ロッド組立部材は前記内管に連結されると共に前記内管及び前記天板を前記外管に対して昇降移動するように駆動させるために用いられることを特徴とする請求項１に記載の組み合わせテーブル。
【請求項４】
前記内管は第一管ユニット及び第二管ユニットを備え、前記第二管ユニットは前記第一管ユニットの一端から延伸されると共に前記第一管ユニットと共に挟角状を形成させ、前記第一管ユニットは前記外管の軸方向に挿設され、前記第二管ユニットは前記外管の位置に対応する一端が前記天板に連結させるために用いられることを特徴とする請求項３に記載の組み合わせテーブル。
【請求項５】
前記第二管ユニットの対向する両側に各々配設される複数の補助ロッド部材を更に備え、前記第二管ユニット及びその両側の前記補助ロッド部材は前記天板に結合させるために用いられることを特徴とする請求項４に記載の組み合わせテーブル。
【請求項６】
前記外管の一端に装設されると共に前記内管の外表面に接触させる第一転動組立部材を更に備えることを特徴とする請求項３に記載の組み合わせテーブル。
【請求項７】
前記第一転動組立部材は、前記外管の一端に回転可能に装設される複数の第一ローラーを備えることを特徴とする請求項６に記載の組み合わせテーブル。
【請求項８】
前記内管の一端に装設されると共に前記外管の内壁面に接触させる第二転動組立部材を更に備えることを特徴とする請求項３に記載の組み合わせテーブル。
【請求項９】
前記第二転動組立部材はブロックの表面に転動可能な複数の第二ローラーが装設され、前記ブロックは前記内管の一端に装設されると共に各前記第二ローラーが前記外管の内壁面に接触させることを特徴とする請求項８に記載の組み合わせテーブル。
【請求項１０】
前記天板の数量は４つであり、且つ２ｘ２のマトリックス形式で配列されることを特徴とする請求項１に記載の組み合わせテーブル。
【請求項１１】
前記キャスターユニット組立部材は、前記第一支持部材及び前記第二支持部材の端部にそれぞれ装設される複数のキャスターを備えることを特徴とする請求項１に記載の組み合わせテーブル。
【考案の詳細な説明】
【技術分野】
【０００１】
本考案は、昇降テーブルの技術分野に関し、より詳しくは、複数の天板を有する組み合わせテーブルに関する。
【背景技術】
【０００２】
一般的なテーブルは所定の高さを有して人々の需要を満たしている。然しながら、年少者や年長者にとっては、一般的なテーブルの高さが合わないことがあり、このため市場では天板の高さを調整可能な昇降テーブルが提供されている。
【考案の概要】
【考案が解決しようとする課題】
【０００３】
一般的な昇降テーブルは昇降機能を有する２本のテーブルの脚部が天板に結合される。複数の天板が必要な場合、例えば、複数人でテーブルを並べて一緒に食事をする場合などでは大きな空間が必要になる。
【０００４】
また、単一のテーブルの脚部を複数の天板に結合させて組み合わせテーブル構成を形成させる場合、空間の占用率を低めることはできるが、テーブルの脚部の構造が不安定になりやすく、年少者や年長者にとっては危険であった。
【０００５】
そこで、本考案者は上記の欠点が改善可能と考え、鋭意検討を重ねた結果、合理的設計で上記の課題を効果的に改善する本考案の提案に到った。
【０００６】
本考案は、このような従来の問題に鑑みてなされたものである。上記課題解決のため、本考案は、組み合わせテーブル構成を提供することを目的とする。つまり、本考案は、安定的に配置させて使用でき、空間の占用率を明確に低下させる効果を有し、先行技術の欠点を解決させる。
【課題を解決するための手段】
【０００７】
上記課題を解決するために、本考案のある態様の組み合わせテーブル構成は脚部機構に複数の天板が結合される。脚部機構は、底板と、底板に装設され、第一支持部材及び第二支持部材を含み、第一支持部材及び第二支持部材が交差するように連結されると共に隣接する第一支持部材と第二支持部材との間の挟角に象限領域が形成されるキャスターユニット組立部材と、底板に装設されると共に象限領域を各々通過させる複数の直立ロッド組立部材と、を備える。各天板は各直立ロッド組立部材の端部にそれぞれ装設される。
【図面の簡単な説明】
【０００８】
【図１】本考案の一実施形態に係る組み合わせテーブルを示す外観斜視図である。
【図２】本考案の脚部機構を示す外観斜視図である。
【図３】本考案の脚部機構を上面から見た概略図である。
【図４】本考案の直立ロッド組立部材を示す外観斜視図である。
【図５】本考案の直立ロッド組立部材構成を示す概略図である。
【図６】本考案の直立ロッド組立部材による昇降を示す動作の概略図である。
【図７】本考案の天板が高さに応じて調整する使用状態を示す概略図である。
【考案を実施するための形態】
【０００９】
以下、図面を参照しつつ、本考案に係る組み合わせテーブル構成について具体的に説明する。なお、本考案は、以下に説明する実施形態に限定されるものではない。
【００１０】
本考案の実施形態に係る組み合わせテーブルは、複数の天板１０を提供し、且つ各天板１０が対応しあってマトリックス形式で配列される（図１参照）。図中に示す実施形態では、４つの天板１０が脚部機構２０に結合されて構成される組み合わせテーブルであり、且つ各天板１０が２ｘ２のマトリックス形式で配列される。
【００１１】
また、脚部機構２０は、底板２２と、接合板２４と、キャスターユニット組立部材３０と、複数の直立ロッド組立部材４０とを備える。キャスターユニット組立部材３０及び各直立ロッド組立部材４０は底板２２に装設され、接合板２４は各直立ロッド組立部材４０に連結される（図２及び図３参照）。
【００１２】
さらに、キャスターユニット組立部材３０は第一支持部材３２及び第２本持部材３４を備え、第一支持部材３２と第２本持部材３４とは交差するように連結されると共に隣接する第一支持部材３２と第２本持部材３４との間の挟角に象限領域３６が形成される。次いで、キャスターユニット組立部材３０は複数のキャスター３８を含む。各キャスター３８は第一支持部材３２及び第２本持部材３４の端部にそれぞれ装設される。
【００１３】
各直立ロッド組立部材４０の一端は底板２２に装設されると共に象限領域３６を各々通過させる。接合板２４は各直立ロッド組立部材４０により囲まれる範囲内に配置され、接合板２４が各直立ロッド組立部材４０に接合される。
【００１４】
図４及び図５に示されるように、直立ロッド組立部材４０は外管４２の内部に内管４４が構設され、空気圧ロッド組立部材４６が内管４４の内部に装設され、空気圧ロッド組立部材４６が内管４４に連結される。さらに、第一転動組立部材４８は外管４２の一端に装設されると共に内管４４の外表面に接触させ、第二転動組立部材５２は内管４４の一端に装設されると共に外管４２の内壁面に接触させる。
【００１５】
第一転動組立部材４８は複数の第一ローラー５０を備え、且つ第一ローラー５０は外管４２の一端に回転可能に装設される。第二転動組立部材５２はブロック５４の表面に転動可能な複数の第二ローラー５６が装設される。ブロック５４は内管４４の一端に装設されると共に各第二ローラー５６が外管４２の内壁面に接触させる。
【００１６】
図４に戻って、内管４４は第一管ユニット４４０及び第二管ユニット４４２を備える。第二管ユニット４４２は第一管ユニット４４０の一端から延伸され、且つ第二管ユニット４４２と第一管ユニット４４０とが挟角状を形成させる。第一管ユニット４４０は外管４２の軸方向に挿設され、第二管ユニット４４２が外管４２の一端に対応するように位置される。また、第二管ユニット４４２の対向する両側には補助ロッド部材５８が各々配設される。第二管ユニット４４２及びその両側の補助ロッド部材５８は天板１０を結合させるために用いられる（図１参照）。
【００１７】
図６に示されるように、使用者が空気圧ロッド組立部材４６を操作することにより、空気圧ロッド組立部材４６が内管４４を昇降するように駆動させる。内管４４の移動過程において、第一ローラー５０及び第二ローラー５６が内管４４の外表面及び外管４２の内壁面にそれぞれ作用し、これにより内管４４が外管４２に対してスムーズに移動する。
【００１８】
図７に示されるように、の内容によると、適切な操作を行って内管４４を上昇させると、天板１０が外管４２に対して上昇し、高さ調整効果を達成させる。
【００１９】
ちなみに、本実施形態に係る脚部機構２０は、第一支持部材３２と第２本持部材３４とが交差するように連結される構造形態、及び各直立ロッド組立部材４０の一端が底板２２に装設されると共に象限領域３６を各々通過させる構造形態を備える。よって、脚部機構２０及び複数の天板１０の組み合わせが占用する空間は小さく、且つ安定的な配置効果を提供する。また、接合板２４が各直立ロッド組立部材４０に接合される構造形態により、各直立ロッド組立部材４０の安定性が高まる。
【００２０】
以上、本考案の実施形態について図面を参照して詳述したが、具体的な構成はこの実施形態に限られるものではなく、本考案の要旨を逸脱しない範囲の設計変更等も含まれる。
【符号の説明】
【００２１】
１０  天板
２０  脚部機構
２２  底板
２４  接合板
３０  キャスターユニット組立部材
３２  第一支持部材
３４  第二支持部材
３６  象限領域
３８  キャスター
４０  直立ロッド組立部材
４２  外管
４４  内管
４４０  第一管ユニット
４４２  第二管ユニット
４６  空気圧ロッド組立部材
４８  第一転動組立部材
５０  第一ローラー
５２  第二転動組立部材
５４  ブロック
５６  第二ローラー
５８  補助ロッド部材
【図１】
0003219694.tif 000003
【図２】
0003219694.tif 000004
【図３】
0003219694.tif 000005
【図４】
0003219694.tif 000006
【図５】
0003219694.tif 000007
【図６】
0003219694.tif 000008
【図７】
0003219694.tif 000009